(57)【要約】【課題】住戸等の室内に設置でき、地震等が発生した際に逃げ込むことによって身を守ることができる、屋内設置シェルターを提供する。【解決手段】天板４と、底板５と、天板４と底板５との間に、天板４及び底板５の各々の周囲に設けられた複数の柱６・・・とを備える、避難室２と、避難室２の底板５の下方に設けられた免震装置３・・・とを備える。【選択図】図１
2007162231.tif 000002
【特許請求の範囲】
【請求項１】
略半球体形状の凹部を備える押台と、
略半球体形状の凹部を備える基台と、
球体とを備え、
前記押台は、略半球体形状の凹部が下方に開口するように、その背面が、建物その他の構造物の底部材の裏面に取り付けられており、
前記基台は、前記押台の下方位置に、略半球体形状の凹部が上方に開口するように、建物その他の構造物の基礎部材上に設けられており、
前記球体は、その直径が、前記押台に設けられている略半球体形状の凹部の最深部の長さと、前記基台に設けられている略半球体形状の凹部の最深部の長さとの合計より、やや長い長さを有しており、且つ、
前記球体が、前記押台の下方に開口するように設けられた略半球体形状の凹部と、前記基台の上方に開口するように設けられた略半球体形状の凹部との間に、移動自在に、介挿されている、免震装置。
【請求項２】
天板と、底板と、前記天板と前記底板との間に、前記天板及び前記底板の各々の周囲に設けられた複数の柱とを備える、避難室と、
前記避難室の底板の下方に設けられた免震装置とを備える、屋内設置シェルター。
【請求項３】
前記免震装置が、請求項１に記載の免震装置である、請求項２に記載の屋内設置シェルター。
【請求項４】
前記複数の柱と同数の複数のボルト手段を更に備え、
前記複数のボルト手段の各々は、前記複数の柱の長さと、前記天板の厚さと、前記底板の厚さとの合計の長さよりもやや長い長さを有し、
前記避難室を形成する複数の柱の各々には、ボルト手段挿入孔が形成されており、
前記複数の柱の各々に設けられたボルト手段挿入孔内には、前記複数のボルト手段の各々が挿入されており、
前記複数の柱の各々のボルト手段挿入孔に挿入されたボルト手段の各々は、その上端部が、前記天板の表面から上方にやや突出するように、且つ、その下端部が、前記底板の裏面から下方にやや突出するように設けられ、
前記複数のボルト手段の各々は、前記天板の表面から上方にやや突出するように設けられている上端部、及び、前記底板の裏面から下方にやや突出するように設けられている下端部の各々には、ナット手段が設けられ、
前記複数のボルト手段の各々の、前記天板の表面から上方にやや突出するように設けられている上端部に設けられているナット手段と、前記底板の裏面から下方にやや突出するように設けられている下端部に設けられているナット手段とによって、前記天板、前記複数の柱及び前記底板が、締め付けられることによって固定されている、請求項２又は請求項３に記載の屋内設置シェルター。
【請求項５】
天板補強用の補強部材と、
前記天板補強用の補強部材を天板の裏面に取り付けるためのボルト手段とを更に備え、
前記天板補強用の補強部材を天板の裏面に取り付けるためのボルト手段は、前記天板の厚さと、前記天板補強用の補強部材の厚さとの合計よりもやや長い長さを有し、
前記天板補強用の補強部材には、ボルト手段挿入孔が形成されており、
前記天板補強用の補強部材に設けられたボルト手段挿入孔内には、前記天板補強用の補強部材を天板の裏面に取り付けるためのボルト手段が挿入されており、
前記天板補強用の補強部材のボルト手段挿入孔に挿入された、前記天板補強用の補強部材を天板の裏面に取り付けるためのボルト手段は、その上端部が、前記天板の表面から上方にやや突出するように、且つ、その下端部が、前記天板補強用の補強部材の裏面から下方にやや突出するように設けられ、
前記天板補強用の補強部材を天板の裏面に取り付けるためのボルト手段は、前記天板の表面から上方にやや突出するように設けられている上端部、及び、前記天板補強用の補強部材の裏面から下方にやや突出するように設けられている下端部の各々に、ナット手段が設けられ、
前記天板補強用の補強部材を天板の裏面に取り付けるためのボルト手段の、前記天板補強用の天板の表面から上方にやや突出するように設けられている上端部に設けられているナット手段と、前記天板補強用の補強部材の裏面から下方にやや突出するように設けられている下端部に設けられているナット手段とによって、前記天板の裏面に、前記天板補強用の補強部材が、締め付けられることによって固定されている、請求項２〜４のいずれかに記載の屋内設置シェルター。
【請求項６】
底板補強用の補強部材と、
前記底板補強用の補強部材を底板の表面に取り付けるためのボルト手段とを更に備え、
前記底板補強用の補強部材を底板の表面に取り付けるためのボルト手段は、前記底板の厚さと、前記底板補強用の補強部材の厚さとの合計よりもやや長い長さを有し、
前記底板補強用の補強部材には、ボルト手段挿入孔が形成されており、
前記底板補強用の補強部材に設けられたボルト手段挿入孔内には、前記底板補強用の補強部材を底板の表面に取り付けるためのボルト手段が挿入されており、
前記底板補強用の補強部材のボルト手段挿入孔に挿入された、前記底板補強用の補強部材を底板の表面に取り付けるためのボルト手段は、その上端部が、前記底板補強用の補強部材の表面から上方にやや突出するように、且つ、その下端部が、前記底板補強用の補強部材の裏面から下方にやや突出するように設けられ、
前記底板補強用の補強部材を底板の表面に取り付けるためのボルト手段は、前記補強部材の表面から上方にやや突出するように設けられている上端部、及び、前記底板の裏面から下方にやや突出するように設けられている下端部の各々に、ナット手段が設けられ、
前記底板補強用の補強部材を底板の表面に取り付けるためのボルト手段の、前記底板補強用の補強部材の表面から上方にやや突出するように設けられている上端部に設けられているナット手段と、前記底板の裏面から下方にやや突出するように設けられている下端部に設けられているナット手段とによって、前記底板の表面に、前記底板補強用の補強部材が、締め付けられることによって固定されている、請求項２〜５のいずれかに記載の屋内設置シェルター。
【請求項７】
前記底板の表面上に、更に、床板を備える、請求項２〜６のいずれかに記載の屋内設置シェルター。
【請求項８】
前記天板の表面上に、更に、机板を備える、請求項２〜７のいずれかに記載の屋内設置シェルター。
【発明の詳細な説明】
【技術分野】
【０００１】
本発明は、地震等の揺れを吸収する免震装置、及び、住戸等の室内に設置でき、地震等が発生した際に逃げ込むことによって身を守ることができる、屋内設置シェルターに関する。
【背景技術】
【０００２】
簡単な構造で、地震の揺れを吸収することができる免震装置としては、例えば、図１３に示す免震装置が、既に、提案されている。
【０００３】
この免震装置１０３は、建物基礎１２０上に設けられる基礎側部材１３２と、建物本体１３０に設けられ、かつこの基礎側部材１３２により支持される建物側部材１３１とを備える。基礎側部材１３２および建物側部材１３１は、凹部曲面１３２ａ、１３１ａを有し、これらの凹部曲面１３２ａ、１３１ａの間に球状体１３３が摺動可能に介在している。
【０００４】
この免震装置１０３は、建物側部材１３１の凹部曲面１３１ａと基礎側部材１３２とが摺動可能に構成されているので、この免震装置１０３を用いれば、建物基礎１２０および建物本体１３０を絶縁する免震構造を構成することが可能となるうえ、凹部曲面１３２ａの曲率等を設定することで、建物本体１３０の重量に影響されることなく所望の免震性能を確保することができる。
【特許文献１】特開２０００−６４６５８号公報
【発明の開示】
【発明が解決しようとする課題】
【０００５】
しかしながら、上述した免震装置１２１は、建物本体に、アンカーボルトや、ボルトや、ナット等を用いて、取り付けるものであるために、構造が複雑であるという問題がある。
【０００６】
また、建物本体に取り付ける免震装置は、既に、建設済みの家屋や住戸には、このような装置を取り付けるのは困難である、という問題がある。
【０００７】
また、従来、地震等の発生時には、机やテーブルの下に避難するようなことが行われているが、地震等の発生時に、机やテーブルの下に避難しても、住戸人等は、地震の横揺れや縦揺れを体感することになり、恐怖を感じることがある。
【０００８】
また、地震等により家屋が倒壊するような事態が生じると、机やテーブルの下に避難したとしても、机やテーブルの強度が不十分の場合には、天井部材等の落下物によって、机やテーブルが押しつぶされる場合があり、地震等の発生時に、机やテーブルの下に避難することは、住戸人等にとって、必ずしも、最善の策とは、言えない。
【０００９】
本発明は、以上のような問題を解決するためになされたものであって、構造が簡単な、免震装置、及び、通常は、室内に設置し、テーブル等として使用でき、地震等の発生時には、その中に避難することで、地震の横揺れや縦揺れを体感し難く、また、機械的強度にも優れており、地震等により家屋が倒壊するような事態が生じても、押しつぶされるようなことが無い、屋内設置シェルターを提供することを目的としている。
【課題を解決するための手段】
【００１０】
請求項１に記載の免震装置は、略半球体形状の凹部を備える押台と、略半球体形状の凹部を備える基台と、球体とを備え、押台は、略半球体形状の凹部が下方に開口するように、その背面が、建物その他の構造物の底部材の裏面に取り付けられており、基台は、押台の下方位置に、略半球体形状の凹部が上方に開口するように、建物その他の構造物の基礎部材上に設けられており、球体は、その直径が、押台に設けられている略半球体形状の凹部の最深部の長さと、基台に設けられている略半球体形状の凹部の最深部の長さとの合計より、やや長い長さを有しており、且つ、球体が、押台の下方に開口するように設けられた略半球体形状の凹部と、基台の上方に開口するように設けられた略半球体形状の凹部との間に、移動自在に、介挿されている。
【００１１】
請求項２に記載の屋内設置シェルターは、天板と、底板と、天板と底板との間に、天板及び底板の各々の周囲に設けられた複数の柱とを備える、避難室と、避難室の底板の下方に設けられた免震装置とを備える。
【００１２】
請求項３に記載の屋内設置シェルターは、免震装置が、請求項１に記載の免震装置である。
【００１３】
請求項４に記載の屋内設置シェルターは、請求項２又は請求項３に記載の屋内設置シェルターが、複数の柱と同数の複数のボルト手段を更に備え、複数のボルト手段の各々は、複数の柱の長さと、天板の厚さと、底板の厚さとの合計の長さよりもやや長い長さを有し、避難室を形成する複数の柱の各々には、ボルト手段挿入孔が形成されており、複数の柱の各々に設けられたボルト手段挿入孔内には、複数のボルト手段の各々が挿入されており、複数の柱の各々のボルト手段挿入孔に挿入されたボルト手段の各々は、その上端部が、天板の表面から上方にやや突出するように、且つ、その下端部が、底板の裏面から下方にやや突出するように設けられ、複数のボルト手段の各々は、天板の表面から上方にやや突出するように設けられている上端部、及び、底板の裏面から下方にやや突出するように設けられている下端部の各々には、ナット手段が設けられ、複数のボルト手段の各々の、天板の表面から上方にやや突出するように設けられている上端部に設けられているナット手段と、底板の裏面から下方にやや突出するように設けられている下端部に設けられているナット手段とによって、天板、複数の柱及び底板が、締め付けられることによって固定されている。
【００１４】
請求項５に記載の屋内設置シェルターは、請求項２〜４のいずれかに記載の屋内設置シェルターが、天板補強用の補強部材と、天板補強用の補強部材を天板の裏面に取り付けるためのボルト手段とを更に備え、天板補強用の補強部材を天板の裏面に取り付けるためのボルト手段は、天板の厚さと、天板補強用の補強部材の厚さとの合計よりもやや長い長さを有し、天板補強用の補強部材には、ボルト手段挿入孔が形成されており、天板補強用の補強部材に設けられたボルト手段挿入孔内には、天板補強用の補強部材を天板の裏面に取り付けるためのボルト手段が挿入されており、天板補強用の補強部材のボルト手段挿入孔に挿入された、天板補強用の補強部材を天板の裏面に取り付けるためのボルト手段は、その上端部が、前記天板の表面から上方にやや突出するように、且つ、その下端部が、天板補強用の補強部材の裏面から下方にやや突出するように設けられ、天板補強用の補強部材を天板の裏面に取り付けるためのボルト手段は、天板の表面から上方にやや突出するように設けられている上端部、及び、天板補強用の補強部材の裏面から下方にやや突出するように設けられている下端部の各々に、ナット手段が設けられ、天板補強用の補強部材を天板の裏面に取り付けるためのボルト手段の、天板補強用の天板の表面から上方にやや突出するように設けられている上端部に設けられているナット手段と、天板補強用の補強部材の裏面から下方にやや突出するように設けられている下端部に設けられているナット手段とによって、前記天板の裏面に、前記天板補強用の補強部材が、締め付けられることによって固定されている。
【００１５】
請求項６に記載の屋内設置シェルターは、請求項２〜５のいずれかに記載の屋内設置シェルターが、底板補強用の補強部材と、底板補強用の補強部材を底板の表面に取り付けるためのボルト手段とを更に備え、底板補強用の補強部材を底板の表面に取り付けるためのボルト手段は、底板の厚さと、底板補強用の補強部材の厚さとの合計よりもやや長い長さを有し、底板補強用の補強部材には、ボルト手段挿入孔が形成されており、底板補強用の補強部材に設けられたボルト手段挿入孔内には、底板補強用の補強部材を底板の表面に取り付けるためのボルト手段が挿入されており、底板補強用の補強部材のボルト手段挿入孔に挿入された、底板補強用の補強部材を底板の表面に取り付けるためのボルト手段は、その上端部が、底板補強用の補強部材の表面から上方にやや突出するように、且つ、その下端部が、底板補強用の補強部材の裏面から下方にやや突出するように設けられ、底板補強用の補強部材を底板の表面に取り付けるためのボルト手段は、補強部材の表面から上方にやや突出するように設けられている上端部、及び、底板の裏面から下方にやや突出するように設けられている下端部の各々に、ナット手段が設けられ、底板補強用の補強部材を底板の表面に取り付けるためのボルト手段の、底板補強用の補強部材の表面から上方にやや突出するように設けられている上端部に設けられているナット手段と、底板の裏面から下方にやや突出するように設けられている下端部に設けられているナット手段とによって、底板の表面に、底板補強用の補強部材が、締め付けられることによって固定されている。
【００１６】
請求項７に記載の屋内設置シェルターは、請求項２〜６のいずれかに記載の屋内設置シェルターが、底板の表面上に、更に、床板を備える。
【００１７】
請求項８に記載の屋内設置シェルターは、請求項２〜７のいずれかに記載の屋内設置シェルターが、天板の表面上に、更に、机板を備える。
【発明の効果】
【００１８】
請求項１に記載の免震装置は、略半球体形状の凹部を備える押台と、略半球体形状の凹部を備える基台と、球体とを備え、押台は、略半球体形状の凹部が下方に開口するように、その背面が、建物その他の構造物の底部材の裏面に取り付けられており、基台は、押台の下方位置に、略半球体形状の凹部が上方に開口するように、建物その他の構造物の基礎部材上に設けられており、球体は、その直径が、押台に設けられている略半球体形状の凹部の最深部の長さと、基台に設けられている略半球体形状の凹部の最深部の長さとの合計より、やや長い長さを有しており、且つ、球体が、押台の下方に開口するように設けられた略半球体形状の凹部と、基台の上方に開口するように設けられた略半球体形状の凹部との間に、移動自在に、介挿されているものを用いているので、地震の横揺れや縦揺れが、免震装置によって吸収される。
【００１９】
従って、この免震装置を建物その他の構造物に取り付けると、地震等が発生した際に、建物その他の構造物の揺れが小さくなるので、建物その他の構造物が破壊され難い。
【００２０】
また、この免震装置は、押台を、略半球体形状の凹部が下方に開口するように、その背面が、建物その他の構造物の底部材の裏面に取り付け、また、基台を押台の下方位置に、略半球体形状の凹部が上方に開口するように、建物その他の構造物の基礎部材上に設けるだけの構成を採用しているので、従来の、建物本体に、アンカーボルトや、ボルトや、ナット等を用いて、取り付ける免震装置に比べ、構造を簡単なものにすることができる。
【００２１】
請求項２に記載の屋内設置シェルターは、避難室の底板の下方に免震装置を備えるので、地震の横揺れや縦揺れが、免震装置によって吸収される。
【００２２】
即ち、この屋内設置シェルターは、免震装置によって、地震の横揺れや縦揺れが吸収されるため、避難室が壊れ難い。
【００２３】
また、住戸人等は、地震等が発生した際には、避難室内に避難すれば、地震の横揺れや縦揺れを体感せずに済むことになるので、恐怖を感じることを低減することができる。
【００２４】
また、この屋内設置シェルターは、建設済みの家屋や住戸内に設置するだけで、住戸人等に、地震等が発生した際の避難場所を提供できる。
【００２５】
請求項３に記載の屋内設置シェルターは、免震装置として、請求項１に記載の免震装置を用いているので、屋内設置シェルターの構造を簡単なものにすることができる。
【００２６】
また、この屋内設置シェルターは、請求項１に記載の免震装置を用いているので、地震の横揺れや縦揺れが、免震装置によって吸収される。
【００２７】
即ち、この屋内設置シェルターは、請求項１に記載の免震装置によって、地震の横揺れや縦揺れが吸収されるため、避難室が壊れ難い。
【００２８】
また、住戸人等は、地震等が発生した際には、避難室内に避難すれば、地震の横揺れや縦揺れを体感せずに済むことになるので、恐怖を感じることを低減することができる。
【００２９】
また、この免震装置は、構造が簡単であるので、屋内設置シェルターの製造コストを低減できる、という効果もある。
【００３０】
請求項４に記載の屋内設置シェルターでは、天板と底板との間を支持する複数の柱の各々が、ボルト手段によって補強されているので、仮に、地震等により家屋が倒壊するような事態が生じたとしても、避難室が、天井部材等の落下物によって、押しつぶされ難い。
【００３１】
請求項５に記載の屋内設置シェルターでは、天板の裏面に補強部材を備えているので、仮に、地震等により家屋が倒壊するような事態が生じたとしても、避難室が、天井部材等の落下物によって、押しつぶされ難い。
【００３２】
また、この屋内設置シェルターでは、補強部材を、天板の裏面に、ボルト手段とナット手段とを用い、上下方向の締め付けによって固定するようにしているので、補強部材を、天板の裏面に、ボルト手段とナット手段とを用い、横方向の締め付けによって固定するようにしているものに比べ、地震等の横揺れや縦ゆれに対し、天板の裏面から、補強部材が脱落し難い。
【００３３】
即ち、この屋内設置シェルターは、地震等の発生時に、天板の裏面から補強部材が外れ難い分、避難室の強度が強いため、仮に、地震等により家屋が倒壊するような事態が生じたとしても、避難室が、天井部材等の落下物によって、押しつぶされ難い。
【００３４】
請求項６に記載の屋内設置シェルターでは、底板の表面に補強部材を備えているので、仮に、地震等により家屋が倒壊するような事態が生じたとしても、避難室が、壊れ難い。
【００３５】
また、この屋内設置シェルターでは、補強部材を、底板の表面に、ボルト手段とナット手段とを用い、上下方向の締め付けによって固定するようにしているので、補強部材を、底板の表面に、ボルト手段とナット手段とを用い、横方向の締め付けによって固定するようにしているものに比べ、地震等の横揺れや縦ゆれに対し、底板の表面から、補強部材が脱落し難い。
【００３６】
即ち、この屋内設置シェルターは、地震等の発生時に、底板の表面から補強部材が外れ難い分、避難室の強度が強いため、仮に、地震等により家屋が倒壊するような事態が生じたとしても、避難室が、壊れ難い。
【００３７】
請求項７に記載の屋内設置シェルターは、底板の表面上に、床板を備えているので、地震等の発生時に、住戸人等が避難室内に避難した際の居住性に優れている。
【００３８】
請求項８に記載の屋内設置シェルターは、天板の表面上に、更に、机板を備えているので、テーブルとして、使用し易く、また、美観に優れている。
【発明を実施するための最良の形態】
【００３９】
以下、本発明に係る屋内設置シェルターの一例を、図面を参照しながら、更に、詳しく説明する。
【００４０】
図１は、本発明に係る屋内設置シェルターの一例を概略的に示す斜視図である。
【００４１】
尚、図１中、Ｅで示す箇所は、避難室２の入り口を示している。
【００４２】
また、図２は、図１に示す屋内設置シェルターの天板をその上方向から下方向に見た状態を概略的に示す平面図であり、図３は、図１に示す屋内設置シェルターを、その入り口が設けられている側から見た状態を概略的に示す側面図であり、図４は、図１に示す屋内設置シェルターを、その入り口が設けられている側とは反対の側から見た状態を概略的に示す側面図であり、図５は、図１に示す屋内設置シェルターの天板をその下方向から上方向に見た状態を概略的に示す平面図である。
【００４３】
また、図６（ａ）は、図１に示す屋内設置シェルターの床板をその上方向から下方向に見た状態を概略的に示す断面図であり、また、図６（ｂ）は、図１に示す屋内設置シェルターの床板を取り外し、その底板をその上方向から下方向に見た状態を概略的に示す断面図である。
【００４４】
また、図７は、図１に示す屋内設置シェルターの床板をその下方向か上方向に見た状態を概略的に示す裏面図である。
【００４５】
この屋内設置シェルター１は、避難室２と、免震装置３とを備える。
【００４６】
避難室２は、天板４と、底板５と、天板４と底板５との間に、天板４及び底板５の各々の周囲に設けられた複数の柱６・・・とを備える。
【００４７】
この屋内設置シェルター１は、免震装置３を、底板５の４つの角部の各々に備えている。
【００４８】
図８は、免震装置３を概略的に示す分解斜視図である。
【００４９】
免震装置３は、押台３１と、基台３２と、球体３３とを備える。
【００５０】
押台３１は、略半球体形状の凹部３１ａを備える。
【００５１】
尚、「略半球体形状の凹部」は、凹部の最深部の深さが、球体の半径以上略半球体形状の半径未満の関係を満たすようにされている。
【００５２】
また、基台３２は、略半球体形状の凹部３２ａを備える。
【００５３】
また、この例では、基台３２として、押台３１と同一の大きさ・形状のものを用いている。
【００５４】
尚、「略半球体形状の凹部」は、凹部の最深部の深さが、球体の半径以上略半球体形状の半径未満の関係を満たすようにされている。
【００５５】
そして、押台３１は、略半球体形状の凹部３１ａが下方に開口するように、その背面が、避難室２の底板５の裏面Ｓ５ｂに取り付けられている。
【００５６】
より具体的には、この例では、押台３１は、略半球体形状の凹部３１ａが下方に開口するように、その背面が、避難室２の底板５の裏面Ｓ５ｂに、接着剤、ボルト手段とナット手段等の固定手段により取り付けられている。
【００５７】
また、基台３２は、押台３１の下方位置に、略半球体形状の凹部３２ａが上方に開口するように、設けられている。
【００５８】
この例では、基台３２は、部屋の床面上に載置するようにしている。
【００５９】
球体３３は、その直径Ｄ３３が、押台３１に設けられている略半球体形状の凹部３１ａの最深部の長さＬ３１ａと、基台３２に設けられている略半球体形状の凹部３２ａの最深部の長さＬ３２ａとの合計の長さ（Ｌ３１ａ＋Ｌ３２ａ）より、やや長い長さ（Ｄ３３＞Ｌ３１ａ＋Ｌ３２ａ）を有している。
【００６０】
且つ、球体３３が、押台３１の下方に開口するように設けられた略半球体形状の凹部３１ａと、基台３２の上方に開口するように設けられた略半球体形状の凹部３２ａとの間に、移動自在に、介挿されている。
【００６１】
図９は、屋内設置シェルター１の天板４、底板５及びある柱６を中心にして概略的に示す分解斜視図である。
【００６２】
この屋内設置シェルター１は、複数の柱６・・・と同数の複数のボルト手段ｖ１・・・を更に備える。
【００６３】
複数のボルト手段ｖ１の各々は、複数の柱６・・・の各々の長さＬ６と、天板４の厚さＬ４と、底板５の厚さＬ５との合計の長さ（Ｌ６＋Ｌ４＋Ｌ５）よりもやや長い長さＬｖ１（長さＬｖ１＞Ｌ６＋Ｌ４＋Ｌ５）を有している。
【００６４】
また、避難室２を形成する複数の柱６・・・の各々には、ボルト手段挿入孔ｈ６・・・が形成されている。
【００６５】
複数の柱６・・・の各々に設けられたボルト手段挿入孔ｈ６・・・の各々内には、複数のボルト手段ｖ１・・・の各々が挿入されている。
【００６６】
複数の柱６・・・の各々のボルト手段挿入孔ｈ６・・・の各々に挿入されたボルト手段ｖ１・・・の各々は、その上端部が、天板４の表面から上方にやや突出するように、且つ、その下端部が、底板５の裏面から下方にやや突出するように設けられる。
【００６７】
複数のボルト手段ｖ１・・・の各々は、天板４の表面から上方にやや突出するように設けられている上端部、及び、底板５の裏面から下方にやや突出するように設けられている下端部の各々には、ナット手段ｎａ・・・、ｎｂ・・・が設けられる。
【００６８】
そして、複数のボルト手段ｖ１・・・の各々の、天板４の表面から上方にやや突出するように設けられている上端部に設けられているナット手段ｎａ・・・と、底板５の裏面から下方にやや突出するように設けられている下端部に設けられているナット手段ｎｂ・・・とによって、天板４、複数の柱６・・・及び底板５が、締め付けられることによって固定されている。
【００６９】
図１０は、屋内設置シェルター１の天板４及び天板４の裏面に設けられる補強部材を中心にして概略的に示す分解斜視図である。
【００７０】
この屋内設置シェルター１は、天板補強用の補強部材７・・・と、天板補強用の補強部材７・・・を天板４の裏面に取り付けるためのボルト手段ｖ２・・・とを更に備える。
【００７１】
天板補強用の補強部材７を天板４の裏面に取り付けるためのボルト手段ｖ２は、天板の厚さＬ４と、天板補強用の補強部材７の厚さＬ７との合計の長さ（Ｌ４＋Ｌ７）よりもやや長い長さＬｖ２（Ｌｖ２＞Ｌ４＋Ｌ７９を有している。
【００７２】
天板補強用の補強部材７には、ボルト手段挿入孔ｈ７が形成されている。
【００７３】
そして、天板補強用の補強部材７に設けられたボルト手段挿入孔ｈ７内には、天板補強用の補強部材７を天板４の裏面に取り付けるためのボルト手段ｖ２が挿入されている。
【００７４】
天板補強用の補強部材７のボルト手段挿入孔ｈ７に挿入された、天板補強用の補強部材７を天板４の裏面に取り付けるためのボルト手段ｖ２は、その上端部が、天板４の表面から上方にやや突出するように、且つ、その下端部が、天板補強用の補強部材７の裏面から下方にやや突出するように設けられる。
【００７５】
天板補強用の補強部材７を天板４の裏面に取り付けるためのボルト手段ｖ２は、天板４の表面から上方にやや突出するように設けられている上端部、及び、天板補強用の補強部材７の裏面から下方にやや突出するように設けられている下端部の各々に、ナット手段ｎｃ・・・、ｎｄ・・・が設けられる。
【００７６】
そして、天板補強用の補強部材７を天板４の裏面に取り付けるためのボルト手段ｖ２の、天板補強用の天板４の表面から上方にやや突出するように設けられている上端部に設けられているナット手段ｎｃ・・・と、天板補強用の補強部材７の裏面から下方にやや突出するように設けられている下端部に設けられているナット手段ｎｄ・・・とによって、天板４の裏面に、天板補強用の補強部材７が、締め付けられることによって固定されている。
【００７７】
図１１は、屋内設置シェルター１の底板５及び底板５の表面に設けられる補強部材を中心にして概略的に示す分解斜視図である。
【００７８】
この屋内設置シェルター１は、底板補強用の補強部材８・・・と、底板補強用の補強部材８・・・を底板５の表面に取り付けるためのボルト手段ｖ３・・・とを更に備える。
【００７９】
底板補強用の補強部材８を底板の表面に取り付けるためのボルト手段ｖ３は、底板５の厚さＬ５と、底板補強用の補強部材８の厚さＬ８との合計の長さ（Ｌ５＋Ｌ８）よりもやや長い長さＬｖ３（Ｌｖ３＞Ｌ５＋Ｌ８）を有している。
【００８０】
底板補強用の補強部材８には、ボルト手段挿入孔ｈ８・・・が形成されている。
【００８１】
底板補強用の補強部材８に設けられたボルト手段挿入孔ｈ８・・・の各々内には、底板補強用の補強部材８を底板５の表面に取り付けるためのボルト手段ｖ３・・・が挿入されている。
【００８２】
そして、底板補強用の補強部材８のボルト手段挿入孔ｈ８に挿入された、底板補強用の補強部材８を底板５の表面に取り付けるためのボルト手段ｖ３は、その上端部が、底板補強用の補強部材８の表面から上方にやや突出するように、且つ、その下端部が、底板補強用の補強部材８の裏面から下方にやや突出するように設けられる。
【００８３】
底板補強用の補強部材８を底板５の表面に取り付けるためのボルト手段ｖ３の、補強部材８の表面から上方にやや突出するように設けられている上端部、及び、底板５の裏面から下方にやや突出するように設けられている下端部の各々に、ナット手段ｎｅ・・・、ｎｆ・・・が設けられる。
【００８４】
そして、底板補強用の補強部材８を底板５の表面に取り付けるためのボルト手段ｖ３の、底板補強用の補強部材８の表面から上方にやや突出するように設けられている上端部に設けられているナット手段ｎｅ・・・と、底板５の裏面から下方にやや突出するように設けられている下端部に設けられているナット手段ｎｆ・・・とによって、底板５の表面に、底板補強用の補強部材８が、締め付けられることによって固定されている。
【００８５】
また、この屋内設置シェルター１は、底板５の表面上に、更に、床板９を備える。
【００８６】
また、屋内設置シェルター１は、天板４の表面上に、更に、机板１０を備える。
【００８７】
図１２（ａ）は、天板４の表面をその上方から下方に見た状態を概略的に示す平面図であり、自１２（ｂ）は、机板１０の裏面をその下方から上方に見た状態を概略的に示す背面図である。
【００８８】
この屋内設置シェルター１では、机板１０の裏面に、天板４の表面上にあるナット手段ｎａ・・・、ｎｃ・・・の各々に整列するように、ナット手段ｎａ・・・、ｎｃ・・・の各々よりもやや大きい、ナット手段収容孔ｈｎａ・・・、ｈｎｃ・・・を各々設け、天板４の表面に、机板１０を載置した際に、天板４の表面に、机板１０の裏面が接触し、且つ、天板４に対し、机板１０の位置がずれることが無いようにしている。
【００８９】
この屋内設置シェルター１は、避難室２の底板５の下方に免震装置３・・・を備えるので、地震の横揺れや縦揺れが、免震装置３・・・によって吸収される。
【００９０】
即ち、この屋内設置シェルター１は、免震装置３・・・によって、地震の横揺れや縦揺れが吸収されるため、避難室２が壊れ難い。
【００９１】
また、住戸人等は、地震等が発生した際には、避難室２内に避難すれば、地震の横揺れや縦揺れを体感せずに済むことになるので、恐怖を感じることを低減することができる。
【００９２】
また、この屋内設置シェルタ１ーは、建設済みの家屋や住戸内に設置するだけで、住戸人等に、地震等が発生した際の避難場所を提供できる。
【００９３】
また、この屋内設置シェルター１は、免震装置３として、略半球体形状の凹部３１ａを備える押台３１と、略半球体形状の凹部３２ａを備える基台３２と、球体３３とを備え、押台３１は、略半球体形状の凹部３１ａが下方に開口するように、その背面が、避難室２の底板５の裏面に取り付けられており、基台３２は、押台３１の下方位置に、略半球体形状の凹部３２ａが上方に開口するように、設けられており、球体３３は、その直径Ｄ３３が、押台３１に設けられている略半球体形状の凹部３１ａの最深部の長さＬ３１ａと、基台３２に設けられている略半球体形状の凹部３２ａの最深部の長さＬ３２ａとの合計の長さ（Ｌ３１ａ＋Ｌ３２ａ）より、やや長い長さＤ３３（Ｄ３３＞Ｌ３１ａ＋Ｌ３２ａ）を有しており、且つ、球体３３が、押台３１の下方に開口するように設けられた略半球体形状の凹部３１ａと、基台３２の上方に開口するように設けられた略半球体形状の凹部３２ａとの間に、移動自在に、介挿されているものを用いているので、地震の横揺れや縦揺れが、免震装置３によって吸収される。
【００９４】
即ち、この屋内設置シェルター１は、免震装置３によって、地震の横揺れや縦揺れが吸収されるため、避難室２が壊れ難い。
【００９５】
また、住戸人等は、地震等が発生した際には、避難室２内に避難すれば、地震の横揺れや縦揺れを体感せずに済むことになるので、恐怖を感じることを低減することができる。
【００９６】
また、この屋内設置シェルター１では、免震装置３の基台を部屋の床面上に載置する構成を採用している。
【００９７】
即ち、この免震装置３は、構造が簡単であるので、屋内設置シェルター１の製造コストを低減できる、という効果もある。
【００９８】
また、部屋の床面を傷つけることが無い、という効果もある。
【００９９】
また、この屋内設置シェルター１では、天板４と底板５との間を支持する複数の柱６・・・の各々が、ボルト手段ｖ１・・・によって補強されているので、仮に、地震等により家屋が倒壊するような事態が生じたとしても、避難室２が、天井部材等の落下物によって、押しつぶされ難い。
【０１００】
また、この屋内設置シェルター１では、天板４の裏面に補強部材７・・・を備えているので、仮に、地震等により家屋が倒壊するような事態が生じたとしても、避難室７・・・が、天井部材等の落下物によって、押しつぶされ難い。
【０１０１】
また、この屋内設置シェルター１では、補強部材７・・・を、天板４の裏面に、ボルト手段ｖ２・・・とナット手段ｎｃ・・・、ｎｄ・・・とを用い、上下方向の締め付けによって固定するようにしているので、補強部材７・・・を、天板４の裏面に、ボルト手段とナット手段とを用い、横方向の締め付けによって固定するようにしているものに比べ、地震等の横揺れや縦ゆれに対し、天板４の裏面から、補強部材7・・・が脱落し難い。
【０１０２】
即ち、この屋内設置シェルター１は、地震等の発生時に、天板４の裏面から補強部材７・・・が外れ難い分、避難室２の強度が強いため、仮に、地震等により家屋が倒壊するような事態が生じたとしても、避難室２が、天井部材等の落下物によって、押しつぶされ難い。
【０１０３】
また、この屋内設置シェルター１では、底板５の表面に補強部材８・・・を備えているので、仮に、地震等により家屋が倒壊するような事態が生じたとしても、避難室２が、壊れ難い。
【０１０４】
また、この屋内設置シェルター１では、補強部材８・・・を、底板５の表面に、ボルト手段ｖ３・・・とナット手段ｎｅ・・・、ｎｆ・・・とを用い、上下方向の締め付けによって固定するようにしているので、補強部材８・・・を、底板５の表面に、ボルト手段とナット手段とを用い、横方向の締め付けによって固定するようにしているものに比べ、地震等の横揺れや縦ゆれに対し、底板５の表面から、補強部材８・・・が脱落し難い。
【０１０５】
即ち、この屋内設置シェルター１は、地震等の発生時に、底板５の表面から補強部材８・・・が外れ難い分、避難室２の強度が強いため、仮に、地震等により家屋が倒壊するような事態が生じたとしても、避難室２が、壊れ難い。
【０１０６】
また、この屋内設置シェルター１は、底板５の表面上に、床板９を備えているので、地震等の発生時に、住戸人等が避難室２内に避難した際の居住性に優れている。
【０１０７】
更にまた、この屋内設置シェルター１は、天板４の表面上に、机板１０を備えているので、テーブルとして、使用し易く、また、美観に優れている。
【０１０８】
尚、天板４、底板５、複数の柱６・・・、床板９及び机板１０の各々は、樹脂製であってもよく、木製であってもよく、また、その他の材料で製されていてもよい。
【０１０９】
また、免震装置３を構成する、押台３１、球体３３及び基台３２の各々は、金属製であってもよく、木製であってもよく、石製であってもよく（天然石製であっても、人工石製であってもよく、）、樹脂製であってもよく、また、その他の材料で製されていてもよい。
【０１１０】
また、ボルト手段ｖ１・・・、ｖ２・・・、ｖ３・・・の各々や、ナット手段ｎａ・・・、ｎｂ・・・、ｎｃ・・・、ｎｄ・・・、ｎｅ・・・、ｎｆ・・・の各々は、機械的強度の強い材料であれば良く、特に、以下の場合に限定されることは無いが、例えば、鋼鉄製のものをその好ましい例として挙げることができる。
【０１１１】
また、上記した発明の実施の形態では、免震装置３を避難室２の下方に設けた例を示したが、免震装置３は、建物その他の構造物の免震装置として幅広く利用することができる。
【０１１２】
そして、免震装置３は、建物その他の構造物の免震装置として用いる場合は、建物その他の構造物の基礎部材上に、基台３２の背面が、建物その他の構造物の基礎部材の表面に面接触するように、また、押台３１も背面が、建物その他の構造物の底部材の裏面に面接触するように設ければよい。
【０１１３】
そして、免震装置３を、建物その他の構造物の免震装置として用いる場合に、建物その他の構造物の基礎部材上に、基台３２の背面が、建物その他の構造物の基礎部材の表面に面接触するように、また、押台３１も背面が、建物その他の構造物の底部材の裏面に面接触するように設けるようにした場合には、従来の、建物本体に、アンカーボルトや、ボルトや、ナット等を用いて、取り付ける免震装置に比べ、構造を簡単なものにすることができる。
【０１１４】
尚、免震装置３を、建物その他の構造物の免震装置として用いる場合には、押台３１、球体３３及び基台３２の各々は、金属製、又は、石製（天然石製又は人工石製）であることが好ましい。
【産業上の利用可能性】
【０１１５】
本発明に係る免震装置は、地震等が発生した際の、屋内設置シェルター、建物その他の構造物の揺れ防止手段として利用できるので、産業上の利用可能性が高い。
【０１１６】
また、本発明に係る屋内設置シェルターは、住戸等の室内に設置することができ、通常は、テーブルとして、また、地震等が発生した際には、避難所として利用できるので、産業上の利用可能性が高い。
【図面の簡単な説明】
【０１１７】
【図１】本発明に係る屋内設置シェルターの一例を概略的に示す斜視図である。
【図２】図１に示す屋内設置シェルターの天板をその上方向から下方向に見た状態を概略的に示す平面図である。
【図３】図１に示す屋内設置シェルターを、その入り口が設けられている側から見た状態を概略的に示す側面図である。
【図４】図１に示す屋内設置シェルターを、その入り口が設けられている側とは反対の側から見た状態を概略的に示す側面図である。
【図５】図１に示す屋内設置シェルターの天板をその下方向から上方向に見た状態を概略的に示す平面図である。
【図６】図６（ａ）は、図１に示す屋内設置シェルターの床板をその上方向から下方向に見た状態を概略的に示す断面図であり、また、図６（ｂ）は、図１に示す屋内設置シェルターの床板を取り外し、その底板をその上方向から下方向に見た状態を概略的に示す断面図である。
【図７】図１に示す屋内設置シェルターの床板をその下方向か上方向に見た状態を概略的に示す裏面図である。
【図８】図１に示す屋内設置シェルターで用いられている免震装置を概略的に示す分解斜視図である。
【図９】図１に示す屋内設置シェルターの天板、底板及びある柱を中心にして概略的に示す分解斜視図である。
【図１０】図１に示す屋内設置シェルターの天板及び天板の裏面に設けられる補強部材を中心にして概略的に示す分解斜視図である。
【図１１】図１に示す屋内設置シェルターの底板及び底板の表面に設けられる補強部材を中心にして概略的に示す分解斜視図である。
【図１２】図１２（ａ）は、天板４の表面をその上方から下方に見た状態を概略的に示す平面図であり、自１２（ｂ）は、机板１０の裏面をその下方から上方に見た状態を概略的に示す背面図である。
【図１３】従来の免震装置を例示的に示す断面図である。
【符号の説明】
【０１１８】
１  屋内設置シェルター
２  避難室
３  免震装置
４  天板
５  底板
６  柱
【図１】
2007162231.tif 000003
【図２】
2007162231.tif 000004
【図３】
2007162231.tif 000005
【図４】
2007162231.tif 000006
【図５】
2007162231.tif 000007
【図６】
2007162231.tif 000008
【図７】
2007162231.tif 000009
【図８】
2007162231.tif 000010
【図９】
2007162231.tif 000011
【図１０】
2007162231.tif 000012
【図１１】
2007162231.tif 000013
【図１２】
2007162231.tif 000014
【図１３】
2007162231.tif 000015